(57)【要約】【課題】  ばねを使用しないシート挟持部を備えた清掃具を得る。【解決手段】シート挟持部３３は下体部５０と上体部６０とから成る。下体部５０の凹面部５１の前部には挟持辺部５４が形成され、上体部６０は下体部５０に対して軸部により傾動自在の上面板６２を有し、その前部には挟持辺部６５が設けられている。上体部６０の下体部５０に対する姿勢維持手段として、上面板６２の下面には、板体状の作用片６７が並列して下方に向けて突出されている。作用片６７は下方を凸とする丸みを帯びた稜線を持つ山型形状とされ、上面板６２の弾性力により付勢されて、凹面部５１上に押されて接触している。上体部６０の傾動に伴って、下頂部６８は凹面部５１上を移動し、その状態で上面板６２による付勢力によって、傾斜、非傾斜状態が維持される。使用に際しては、清掃シートＳをシート挟持部３３の下側挟持辺部５４及び上側挟持辺部６５により挟持する。【選択図】図１
2020178832.tif 000002
【特許請求の範囲】
【請求項１】
柄部と、該柄部の先端に連結部を介して取り付けた清掃体部とから構成され、前記清掃体部の端部に清掃シートを取り付けるためのシート挟持部が配置された清掃具であって、
前記シート挟持部は、凹状の下体部と、該下体部を覆うと共に、軸部を介して該下体部に対し傾動自在に取り付けた上体部とから成り、
前記上体部は、平板状の上面板と、該上面板の前端を下方に折曲し、下辺に上側挟持辺部を設けた上側前面部とを備え、
前記下体部は凹面部と、前記上側挟持辺部と噛合する下側挟持辺部とを備え、
前記上面板の下面には、作用片が下方に向けて突出していることを特徴とする清掃具。
【請求項２】
前記作用片は、前記軸部から下端である下頂部までの方向が前記上側前面部の折曲方向に対して、前記柄部側に傾斜していることを特徴とする請求項１に記載の清掃具。
【請求項３】
前記下頂部が記前記凹面部に弾性的に接することで、前記下側挟持辺部及び前記上側挟持辺部が嵌合する閉止状態が維持されることを特徴とする請求項２に記載の清掃具。
【請求項４】
前記作用片は山型形状を有する板体状であることを特徴とする請求項１〜３の何れか１項に記載の清掃具。
【請求項５】
前記上面板の下面には、複数枚の前記作用片が平行に配列されていることを特徴とする請求項１〜４の何れか１項に記載の清掃具。
【請求項６】
前記凹面部及び前記上面板の少なくとも一方に、前記清掃体部の短手方向に沿う複数のスリット部を設けたことを特徴とする請求項１〜５の何れか１項に記載の清掃具。
【請求項７】
前記スリット部の間隔は、前記作用片の軸方向の長さよりも長いことを特徴とする請求項６に記載の清掃具。
【請求項８】
前記上側挟持辺部及び前記下側挟持辺部は鋸歯状としたことを特徴とする請求項１〜７の何れか１項に記載の清掃具。
【発明の詳細な説明】
【技術分野】
【０００１】
本発明は、清掃シートを装着し、床面等の塵埃の拭き取りを行う清掃具に関するものである。
【背景技術】
【０００２】
特許文献１には、モップ基台の四隅にピンチ片を配置し、これらのピンチ片に不織布から成る清掃シートを固定するモップが開示されている。このピンチ片には、ピンチ片の挟持先端部を清掃シートに対し、閉止するように付勢するコイルばねが用いられている。
【先行技術文献】
【特許文献】
【０００３】
【特許文献１】特開２００５−１０３１９６号公報
【発明の概要】
【発明が解決しようとする課題】
【０００４】
しかし、特許文献１のモップのピンチ片により、不織布の取り付け、取り外しを繰り返すと、コイルばねが破損したり、コイルばねに対するピンチ片の押圧部が破損したりすることがある。
【０００５】
ピンチ片が１個でも破損すると、モップ基台は清掃シートを安定して保持することができなくなり、使用が困難となる。また、破損したピンチ片を交換、修理することは困難である。
【０００６】
本発明の目的は、上述の課題を解消し、ばねを使用していないので、繰り返して使用しても破損し難いシート挟持部を備えた清掃具を提供することにある。
【課題を解決するための手段】
【０００７】
上記目的を達成するための本発明に係る清掃具は、柄部と、該柄部の先端に連結部を介して取り付けた清掃体部とから構成され、前記清掃体部の四隅に清掃シートを取り付けるためのシート挟持部が配置された清掃具であって、前記シート挟持部は、凹状の下体部と、該下体部を覆うと共に、軸部を介して該下体部に対し傾動自在に取り付けた上体部とから成り、前記上体部は、平板状の上面板と、該上面板の前端を下方に折曲し、下辺に上側挟持辺部を設けた上側前面部とを備え、前記下体部は凹面部と、前記上側挟持辺部と噛合する下側挟持辺部とを備え、前記上面板の下面には、作用片が下方に向けて突出していることを特徴とする。
【発明の効果】
【０００８】
本発明に係る清掃具によれば、清掃シートを挟持するシート挟持部には、ばねを使用しない姿勢維持手段を備えていることから、繰り返して使用してもシート挟持部が破損することはない。また、ばねを配置する手間も不要であるから、製造も容易である。
【図面の簡単な説明】
【０００９】
【図１】一部のシート挟持部が開口している状態の実施例の清掃具の斜視図である。
【図２】シート挟持部の分解斜視図である。
【図３】清掃体部の横断面図である。
【図４】上体部の変形例の後方斜視図である。
【図５】シート挟持部の作用説明図である。
【図６】清掃シートを取り付けた状態の清掃体部の横断面図である。
【発明を実施するための形態】
【００１０】
本発明を図示の実施例に基づいて詳細に説明する。
図１は一部のシート挟持部が開口している状態の実施例の清掃具の斜視図、図２はシート挟持部の分解斜視図、図３は一部のシート挟持部が開口している状態の清掃体部の横断面図である。
【００１１】
清掃具１は棒状の柄部２と、この柄部２の先端に取り付けられた清掃体部３とから構成されており、清掃体部３は柄部２に対して連結部４により自在な方向に回動可能に連結されている。
【００１２】
図１においては、柄部２の一部を省略しているが、柄部２の長さは例えば１．５ｍ程度であり、清掃体部３の大きさは例えば横幅２５ｃｍ、縦幅８ｃｍ、高さ３ｃｍ程度である。柄部２の長さ及び清掃体部３の大きさは清掃個所や清掃シートの大きさ等に応じて、適宜のサイズのものを採用することができる。
【００１３】
清掃体部３は、硬質の合成樹脂材から成る矩形状の基体部３１と、この基体部３１の底面と側面部を覆うように被着した発泡ＥＶＡ、ウレタン樹脂等の柔軟性、弾発性を有する合成樹脂材から成る摺掃部３２とから構成されている。そして、基体部３１上の端部である四隅には、例えば不織布から成る清掃シートや雑巾を挟持するためのシート挟持部３３がそれぞれ配置されている。
【００１４】
清掃具１の使用に際して、清掃体部３の摺掃部３２に、例えば市販の横３０ｃｍ、縦２０ｃｍ、厚み０．５ｍｍ程度の清掃シートを取り付けることが可能である。この取り付けは、清掃シートを摺掃部３２の下面を覆うようにして、清掃シートの四隅を基体部３１上の４個のシート挟持部３３により挟持することで完了する。
【００１５】
シート挟持部３３は、凹状の下体部５０と、上体部６０とから構成されている。下体部５０は基体部３１と一体とされており、底部として凹面部５１を有している。凹面部５１には清掃体部３の短手方向に沿う複数のスリット部５２が設けられている。これらのスリット部５２の間隔は、後述する作用片の軸方向の長さよりも長くしている。
【００１６】
凹面部５１の外側である前部には、凹面部５１の前端から立ち上げた下側前面部５３が設けられ、この下側前面部５３の上辺には、清掃シートを挟持するための例えば鋸歯状の下側挟持辺部５４が形成されている。
【００１７】
なお、凹面部５１にスリット部５２を設けることで、後述する上体部６０の作用片の下頂部が凹面部５１に接触した際に凹面部５１が変形し易くすると共に、この変形に伴って弾性力が生じ易くしている。
【００１８】
上体部６０は、下体部５０の凹面部５１を覆う板体状の合成樹脂材であり、図３に示す上体部６０の＋印位置を軸部とし、この軸部を介して下体部５０に対して傾動自在とされている。なお、軸部は軸ピンと軸孔とから成り、実施例では下体部５０の凹面部５１の両側面の基体部３１に軸孔５５が設けられ、上体部６０には水平方向に両側から軸ピン６１が突出されている。これらの軸孔５５及び軸ピン６１の構成は、逆にして上体部６０及び下体部５０に配置してもよい。
【００１９】
上体部６０は、平面状の上面板６２と、この上面板６２の外側の前端から下方に折曲された上側前面部６３と、上面板６２の側端から下方に折曲され、軸ピン６１を設けた上側側面部６４とを有している。上側側面部６４の軸ピン６１は、前後方向のほぼ中間部の両側において、下体部５０の両側面である基体部３１に軸着されており、上側前面部６３の下辺には、下側挟持辺部５４と共働して清掃シートを挟持する例えば鋸歯状の上側挟持辺部６５が形成されている。
【００２０】
なお、基体部３１上の四隅に配置したシート挟持部３３は、互いの鋸歯が噛合する下側挟持辺部５４及び上側挟持辺部６５が、基体部３１の短手方向の外側に向けて開口するように配置されている。
【００２１】
上体部６０の上面板６２の前部上面は、上体部６０を閉止する場合の押圧部の役割を果たし、上面板６２の後部上面は上体部６０を開く場合に使用する押圧部６６とされている。
【００２２】
上体部６０の下体部５０に対する姿勢維持手段として、上面板６２の下面には、上側側面部６４と平行に、つまり軸部の軸芯と直交する方向に、複数枚の板体状の作用片６７が並列して下方に向けて突出されている。これらの作用片６７の側面形状は、下方を凸とする丸みを帯びた稜線を有する三角状の山型形状とされ、図示する＋印位置の軸部から下頂部６８までの方向は、上側前面部６３の折曲方向に対して、柄部２側に傾斜している。
【００２３】
作用片６７は上面板６２の弾性力により付勢されて、作用片６７の下頂部６８は下体部５０の凹面部５１上に押し付けられながら接触しており、上体部６０の開閉つまり傾動に伴って、下端である下頂部６８はその稜線が凹面部５１上を移動可能とされている。
【００２４】
なお、作用片６７を板状にすることで、作用片６７の下頂部６８が凹面部５１に接触した際に作用片６７が変形し易くすると共に、この変形に伴って弾性力が生じ易くしている。
【００２５】
図４は上体部６０の変形例である上体部６０’を後方から見た後方斜視図である。上体部６０’の上面板６２には、裏面側の作用片６７を取り囲むようにコの字状のスリット部６９が設けられている。このスリット部６９は下体部５０のスリット部５２と同様に、清掃体部３の短手方向に沿う複数のスリット部であってもよい。上面板６２にスリット部を設けることで、作用片６７の下頂部６８が凹面部５１に接触した際に作用片６７がより一層変形し易くなり、この変形に伴いより強い弾性力が生ずることになる。
【００２６】
清掃シートを取り付けていない図３に示す状態においては、作用片６７の下頂部６８が凹面部５１上に接触していて、作用片６７は上面板６２により凹面部５１に対して弾性的に押し付けられているので、非傾動状態においても、上面板６２は不時に動かないようにされている。
【００２７】
ここで、シート挟持部３３を開口するために、図５に示すように上面板６２の押圧部６６を下方に押すと、軸部を介して上体部６０は傾動する。このとき、作用片６７の丸みを帯びた下頂部６８の稜線は、凹面部５１上を移動し、下頂部６８の後部側が凹面部５１上に当接する。そして、上面板６２と凹面部５１との間隙が稍々短くなり、作用片６７には更に弾性力が加わる。
【００２８】
上体部６０が閉じた状態から、作用片６７の軸部から下頂部６８までの方向が上側前面部６３の折曲方向とが平行になるまでの間では、上側挟持辺部６５及び下側挟持辺部５４が閉じる方向に弾性力が作用することになる。そして、上体部６０が開いた状態となる、作用片６７の軸部から下頂部６８までの方向が上側前面部６３の折曲方向とが平行になった以降は、上側挟持辺部６５及び下側挟持辺部５４が開く方向に弾性力が作用することになる。この開く方向の弾性力は、軸部を介して上側挟持辺部６５を持ち上げることを助長すると共に、上体部６０の傾動を維持するための付勢力となる。
【００２９】
このように、押圧部６６を下方に押圧することにより上体部６０は傾動して、上側前面部６３に設けられた上側挟持辺部６５が持ち上がり、下体部５０の下側挟持辺部５４から離間して、下側挟持辺部５４及び上側挟持辺部６５間が開口し、その状態が維持される。この開口操作を４個のシート挟持部３３について同様に行い、開口している下側挟持辺部５４及び上側挟持辺部６５間に清掃シートＳの四隅をそれぞれ挿入する。
【００３０】
続いて、作用片６７の下頂部６８が凹面部５１に対して非接触状態である開口状態の上面板６２の前部を、下方に押して上側挟持辺部６５を押し下げる。図５の示す状態から図３に示す状態に至り、下側挟持辺部５４及び上側挟持辺部６５間を噛み合わせることにより、清掃シートＳをこの噛合により挟持し、図６に示すように清掃体部３に清掃シートＳを取り付けることができる。
【００３１】
このとき、作用片６７の下頂部６８による凹面部５１上の非接触、接触に応じて、作用片６７の変形に基づく弾性力によりクリック作用が生ずる。そして、作用片６７の下頂部６８が凹面部５１上に弾性的に接することで、下側挟持辺部５４及び上側挟持辺部６５が嵌合する閉止状態が維持され、上体部６０が不時に動くことはない。
【００３２】
更に、清掃シートＳを下側挟持辺部５４及び上側挟持辺部６５間で噛合により挟持すれば、清掃シートＳには下側挟持辺部５４及び上側挟持辺部６５が噛み込まれているので、清掃シートＳが引き抜かれる方向に力が作用しても、清掃シートＳが抜け出すことはない。
【００３３】
このように、作用片６７の下頂部６８の向きによって、上体部６０の傾動、非傾動状態である開閉状態は何れか一方に維持されるので、ばねを使用しなくとも、清掃シートＳが不時にシート挟持部３３から外れることはない。
【００３４】
清掃シートＳを取り付けた清掃具１により、床面等を拭き取ることにより、塵芥を清掃シートＳに付着させることができる。清掃シートＳに十分な塵芥が付着すると、シート挟持部３３の上体部６０の押圧部６６を下方に押して下側挟持辺部５４及び上側挟持辺部６５間を開き、清掃シートＳを取り外し、破棄する。そして、新たな清掃シートＳを開口している下側挟持辺部５４及び上側挟持辺部６５間に挿入して、上面板６２の前部を押し下げて使用することになる。
【００３５】
なお実施例では、シート挟持部３３の下体部５０を基体部３１と一体化しているが、下体部５０は別体として、必要に応じてシート挟持部３３を基体部３１に対して、交換可能とすることもできる。
【００３６】
このように本発明に係る清掃具１によれば、清掃シートＳを挟持するシート挟持部には、ばねを使用しない姿勢維持手段を備えていることから、繰り返して使用してもシート挟持部３３が破損することはない。また、ばねを配置する手間も不要であるから、製造も容易である。
【符号の説明】
【００３７】
１  清掃具
３  清掃体部
３１  基体部
３２  摺掃部
３３  シート挟持部
５０  下体部
５１  凹面部
５２、６９  スリット部
５３  下側前面部
５４  下側挟持辺部
６０  上体部
６２  上面板
６３  上側前面部
６５  上側挟持辺部
６７  作用片
６８  下頂部
Ｓ  清掃シート
【図１】
2020178832.tif 000003
【図２】
2020178832.tif 000004
【図３】
2020178832.tif 000005
【図４】
2020178832.tif 000006
【図５】
2020178832.tif 000007
【図６】
2020178832.tif 000008